(57)【特許請求の範囲】
【請求項１】
コンピュータと、このコンピュータに接続され、かつ画像通信可能な通信装置とからなる通信システムであって、
送信データを変調し、かつ受信データを復調する変復調手段と、
前記変復調手段を介して送受信する送信データ、受信データおよび通信開始からの経過時間のデータを、前記コンピュータに出力する出力手段と、
前記出力手段により前記コンピュータに出力される送信データ、受信データおよび通信開始からの経過時間のデータを通信エラーの存否とともに格納する前記コンピュータの記憶手段とを備えていることを特徴とする通信システム。
【請求項２】
コンピュータと、このコンピュータに接続され、かつ画像通信可能な通信装置とからなる通信システムであって、
送信データを変調し、かつ受信データを復調する変復調手段と、
前記変復調手段を介して送受信する送信データ、受信データおよび通信開始からの経過時間のデータを、前記コンピュータに出力する出力手段と、
前記出力手段により前記コンピュータに出力される送信データ、受信データおよび通信開始からの経過時間のデータを通信エラーの存否とともに格納する前記コンピュータの記憶手段と、
前記記憶手段に格納された送信データおよび受信データのうち通信エラーの発生したデータを選択可能な選択手段と、
前記選択手段により選択されたデータを所定の様式のデータに変換する変換手段と、
前記変換手段により変換された所定の様式のデータの少なくとも一部を表示可能な表示手段とを備えていることを特徴とする通信システム。
【請求項３】
前記記憶手段に格納される前記送信データおよび受信データは、通信プロトコルに関するコマンドと、画像データを含み、前記通信開始からの経過時間のデータは前記通信プロトコルに関するコマンドおよび画像データの先頭の直後と最後尾の直後とに挿入されていることを特徴とする請求項１または請求項２に記載の通信システム。
【請求項４】
前記記憶手段は、内蔵のハードディスク装置であることを特徴とする請求項１乃至請求項３のいずれかに記載の通信システム。
【請求項５】
前記記憶手段は、外部記憶装置であることを特徴とする請求項１乃至請求項３のいずれかに記載の通信システム。
【請求項６】
前記表示手段は、モニタ画面上に所定の様式のデータのうち少なくとも使用者により指示された部分を表示する表示部であることを特徴とする請求項２に記載の通信システム。
【請求項７】
前記表示手段は、記録用紙上に所定の様式のデータのうち少なくとも使用者により指示された部分を記録する記録部であることを特徴とする請求項２に記載の通信システム。
【請求項８】
前記記憶手段に格納された送信データおよび受信データのうち、通信エラーの発生しなかった通信分を、所定の時期に前記記憶手段から削除する削除手段を備えていることを特徴とする請求項１乃至請求項３のいずれかに記載の通信システム。
【発明の詳細な説明】
【０００１】
【発明の属する技術分野】
本発明は、コンピュータと、このコンピュータに接続され、かつ画像通信可能な通信装置とからなる通信システムに関するものである。
【０００２】
【従来の技術】
画像通信可能な通信装置として、たとえばファクシミリ装置がある。このような従来のファクシミリ装置では、通信エラーが生じた場合、その原因を究明するためには、特殊なテスタ用ボードを装着した解析用のコンピュータをファクシミリ装置と電話回線との間に接続し、実際に通信を行いながら、メーカの技術者が解析用のコンピュータのモニタ画面を見ながら、通信エラーの原因を探っていた。
【０００３】
【発明が解決しようとする課題】
しかしながら、従来のファクシミリ装置では、メーカの技術者が、通信エラーを起こしたファクシミリ装置の設置場所まで解析用のコンピュータを持参して行き、解析用のコンピュータをファクシミリ装置と電話回線との間に接続する作業を行った後、解析用のコンピュータのモニタ画面を見ながら、通信エラーの原因を探らなければならず、多くの時間と労力とが必要であった。しかも、テスト中に必ず通信エラーが発生するとは限らず、原因の究明が困難なこともあった。
【０００４】
なお、通信エラーの解析情報を記憶するファクシミリ装置も提案されているが、図７に示すような極めて簡単な通信リストを出力するだけのものであり、本格的な原因究明に至らないことが多かった。
【０００５】
本発明は、上記の点に鑑みて提案されたものであって、通信エラーの原因を容易かつ確実に究明できる通信システムを提供することを目的としている。
【０００６】
【課題を解決するための手段】
上記目的を達成するため、請求項１に記載した発明の通信システムは、コンピュータと、このコンピュータに接続され、かつ画像通信可能な通信装置とからなる通信システムであって、送信データを変調し、かつ受信データを復調する変復調手段と、変復調手段を介して送受信する送信データ、受信データおよび通信開始からの経過時間のデータを、コンピュータに出力する出力手段と、出力手段によりコンピュータに出力される送信データ、受信データおよび通信開始からの経過時間のデータを通信エラーの存否とともに格納するコンピュータの記憶手段とを備えたものである。
【０００７】
また、請求項２に記載した発明の通信システムは、コンピュータと、このコンピュータに接続され、かつ画像通信可能な通信装置とからなる通信システムであって、送信データを変調し、かつ受信データを復調する変復調手段と、変復調手段を介して送受信する送信データ、受信データおよび通信開始からの経過時間のデータを、コンピュータに出力する出力手段と、出力手段によりコンピュータに出力される送信データ、受信データおよび通信開始からの経過時間のデータを通信エラーの存否とともに格納するコンピュータの記憶手段と、記憶手段に格納された送信データおよび受信データのうち通信エラーの発生したデータを選択可能な選択手段と、選択手段により選択されたデータを所定の様式のデータに変換する変換手段と、変換手段により変換された所定の様式のデータの少なくとも一部を表示可能な表示手段とを備えたものである。
【０００８】
更に、請求項３に記載した発明の通信システムは、請求項１または請求項２記載の通信システムであって、記憶手段に格納される前記送信データおよび受信データは、通信プロトコルに関するコマンドと、画像データを含み、前記通信開始からの経過時間のデータは前記通信プロトコルに関するコマンドおよび画像データの先頭の直後と最後尾の直後とに挿入されているものである。
また、請求項４に記載した発明の通信システムは、請求項１乃至請求項３のいずれかに記載の通信システムであって、記憶手段は、内蔵のハードディスク装置である。
【０００９】
また、請求項５に記載した発明の通信システムは、請求項１乃至請求項３のいずれかに記載の通信システムであって、記憶手段は、外部記憶装置である。
【００１０】
更に、請求項６に記載した発明の通信システムは、請求項２記載の通信システムであって、表示手段は、モニタ画面上に所定の様式のデータのうち少なくとも使用者により指示された部分を表示する表示部である。
【００１１】
また、請求項７に記載した発明の通信システムは、請求項２記載の通信システムであって、表示手段は、記録用紙上に所定の様式のデータのうち少なくとも使用者により指示された部分を記録する記録部である。
【００１２】
更に、請求項８に記載した発明の通信システムは、請求項１乃至請求項３のいずれかに記載の通信システムであって、記憶手段に格納された送信データおよび受信データのうち、通信エラーの発生しなかった通信分を、所定の時期に記憶手段から削除する削除手段を備えている。
【００１３】
【発明の実施の形態】
以下、本発明の好ましい実施の形態を、図面を参照しつつ具体的に説明する。
【００１４】
図１は、本発明に係る通信システムの一例としての、パーソナルコンピュータに接続されたファクシミリ装置の回路ブロック図であって、このファクシミリ装置１には、コンピュータの一例としてのパーソナルコンピュータ２が接続されている。ファクシミリ装置１は、ＣＰＵ４、ＮＣＵ５、ＲＡＭ６、モデム７、ＲＯＭ８、コーデック９、ＥＥＰＲＯＭ１０、ＤＭＡＣ１１、ゲートアレイ１２、ＰＣ用ＩＦ１３、読取部１４、記録部１５、操作部１６、および表示部１７などを備えている。ＣＰＵ４、ＮＣＵ５、ＲＡＭ６、モデム７、ＲＯＭ８、コーデック９、ＥＥＰＲＯＭ１０、ＤＭＡＣ１１、ゲートアレイ１２、およびＰＣ用ＩＦ１３は、バス線により相互に接続されており、ゲートアレイ１２には、読取部１４、記録部１５、操作部１６、および表示部１７が接続されている。ＮＣＵ５には、電話回線１８が接続されている。
【００１５】
パーソナルコンピュータ２は、ＣＰＵ２１、ＦＡＸ用ＩＦ２２、ＲＡＭ２３、ＲＯＭ２４、ハードディスク装置２５、ビデオ出力部２６、プリンタ制御部２７、およびキーボード３１などを備えており、これらは相互に接続されている。ビデオ出力部２６には、ビデオモニタ２８が接続されており、プリンタ制御部２７には、プリンタ２９が接続されている。ＦＡＸ用ＩＦ２２は、ケーブル３０によりファクシミリ装置１のＰＣ用ＩＦ１３に接続されている。
【００１６】
ＣＰＵ４は、ファクシミリ装置１全体を制御する。ＮＣＵ５は、電話回線１８に接続されて網制御を行う。ＲＡＭ６は、各種のデータなどを記憶する。モデム７は、送信データの変調や受信データの復調などを行う。ＲＯＭ８は、各種のプログラムなどを記憶する。コーデック９は、１チップのＩＣからなり、送信データの符号化や受信データの復号化を行う。ＥＥＰＲＯＭ１０は、各種の登録データやフラグなどを記憶する。ＤＭＡＣ１１は、ＲＡＭ６へのデータの書き込みや読み出しを行う。ゲートアレイ１２は、ＣＰＵ４の入出力インターフェイスとして機能する。ＰＣ用ＩＦ１３は、ＦＡＸ用ＩＦ２２を介してパーソナルコンピュータ２との間でパラレルデータあるいはシリアルデータの授受を行うためのものである。読取部１４は、光源やＣＣＤセンサや原稿送りモータなどを備えており、原稿を読み取って画信号を出力する。記録部１５は、インクジェットプリンタあるいは熱転写プリンタなどからなり、受信画像などを記録用紙上に記録する。操作部１６は、キースイッチ群などからなり、使用者の操作に応じた信号を出力する。表示部１７は、ＬＣＤなどからなり、ＣＰＵ４により制御されて各種の表示を行う。
【００１７】
パーソナルコンピュータ２のＣＰＵ２１は、パーソナルコンピュータ２全体を制御する。ＦＡＸ用ＩＦ２２は、ファクシミリ装置１のＰＣ用ＩＦ１３を介してファクシミリ装置１との間でパラレルデータあるいはシリアルデータを授受するためのものである。ＲＡＭ２３は、各種のデータなどを記憶する。ＲＯＭ２４は、各種のプログラムなどを記憶している。ハードディスク装置２５は、各種のプログラムやデータなどを記憶する。ビデオ出力部２６は、ＣＰＵ２１により制御されてビデオモニタ２８を駆動する。プリンタ制御部２７は、ＣＰＵ２１により制御されてプリンタ２９を駆動する。ビデオモニタ２８は、ビデオ出力部２６により駆動されてモニタ画面上に各種の画像を映し出す。プリンタ２９は、プリンタ制御部２７により駆動されて、記録用紙上に各種の画像を記録する。ケーブル３０は、ファクシミリ装置１のＰＣ用ＩＦ１３とパーソナルコンピュータ２のＦＡＸ用ＩＦ２２とを接続する。キーボード３１は、使用者によるキーの押下操作に応じた入力信号を出力する。
【００１８】
なお、ＣＰＵ４およびＰＣ用ＩＦ１３は、モデム７を介して送受信する送信データおよび受信データを、パーソナルコンピュータ２に出力する出力手段を実現している。モデム７は、送信データを変調し、かつ受信データを復調する変復調手段を実現している。
【００１９】
また、ＣＰＵ２１は、ハードディスク装置２５に格納されたファクシミリ装置１からの送信データおよび受信データを所定の様式のデータに変換する解析手段を実現している。ハードディスク装置２５は、ファクシミリ装置１からの送信データおよび受信データを格納する記憶手段を実現している。
【００２０】
次に、このように構成された通信システムの動作について説明する。ファクシミリ装置１のＣＰＵ４は、送信のためにモデム７に供給する送信データと、モデム７を介して供給される受信データとの双方、ならびに、通信開始からの経過時間を、ＰＣ用ＩＦ１３を介してパーソナルコンピュータ２に出力する。これにより、パーソナルコンピュータ２のＣＰＵ２１が、ファクシミリ装置１からのデータをハードディスク装置２５に格納する。このハードディスク装置２５に格納される送信データおよび受信データは、通信プロトコルに関するコマンドなどと画像データとの双方を含み、通信開始からの経過時間は、たとえば各コマンドおよび画像データの先頭の直前と最後尾の直後とに挿入する。さらに、ＣＰＵ２１は、使用者による操作に基づいて、ハードディスク装置２５に格納されたデータを、技術者が通信エラーの原因を究明し易いように、たとえば図４乃至図６に示すような所定の様式に変換して、順次ビデオモニタ２８の表示画面上に表示させ、さらに、使用者による要求に応じてそれらの一部または全部をプリンタ２９に記録させる。
【００２１】
次に、通信処理の手順について、図２に示すフローチャートを参照しながら説明する。先ず、ファクシミリ装置１のＣＰＵ４が、送信データの有無を判断する（Ｓ１）。具体的には、使用者により送信操作がなされ、発呼により送信が開始されたかどうかを調べる。送信データが存在すれば（Ｓ１：ＹＥＳ）、ＣＰＵ４が、送信データをモデム７に出力する（Ｓ２）。もちろん、画像データの場合は、読取部１４からの画像信号をコーデック９により符号化させ、モデム７に出力する。これにより、モデム７が、送信データを変調し、ＮＣＵ５を介して電話回線１８に送出する。そして、ＣＰＵ４が、送信データを、通信開始からの経過時間のデータと共に、ＰＣ用ＩＦ１３を介してパーソナルコンピュータ２に出力する（Ｓ３）。これにより、パーソナルコンピュータ２のＣＰＵ２１が、ファクシミリ装置１からの送信データを、通信開始からの経過時間のデータと共にハードディスク装置２５に格納する。そして、ファクシミリ装置１のＣＰＵ４が、受信データの有無を判断する（Ｓ４）。具体的には、モデム７を監視して、モデム７により変調された受信データが存在するか否かを調べる。受信データが存在すれば（Ｓ４：ＹＥＳ）、記録部１５が記録可能な状態か否かを判断する（Ｓ５）。具体的には、記録用紙の存在や定着用のヒータ温度などを調べる。記録部１５が記録可能な状態であれば（Ｓ５：ＹＥＳ）、ＣＰＵ４が、受信データのうちの画像データをＤＭＡＣ１１に出力する（Ｓ６）。これによりＤＭＡＣ１１が、画像データを復号化し、ゲートアレイ１２を介して記録部１５に出力する。これにより記録部１５が、画像を記録用紙上に記録する。そして、ＣＰＵ４が、通信開始からの経過時間のデータと共に、受信データをＰＣ用ＩＦ１３を介してパーソナルコンピュータ２に出力する（Ｓ７）。これによりパーソナルコンピュータ２のＣＰＵ２１が、ファクシミリ装置１からの受信データを、通信開始からの経過時間のデータと共にハードディスク装置２５に格納する。そして、ファクシミリ装置１のＣＰＵ４が、通信が終了したか否かを判断し（Ｓ８）、通信が終了すれば（Ｓ８：ＹＥＳ）、通信処理を終了する。
【００２２】
Ｓ８において、通信が終了していなければ（Ｓ８：ＮＯ）、Ｓ１に戻って通信処理を継続する。
【００２３】
Ｓ５において、記録部１５が記録可能な状態でなければ（Ｓ５：ＮＯ）、記録部１５が記録可能な状態になってから記録を実行させるために、受信画像データをＲＡＭ６に格納し（Ｓ９）、Ｓ７に進む。
【００２４】
Ｓ４において、受信データが存在しなければ（Ｓ４：ＮＯ）、受信データを処理する必要がないので、Ｓ８に進む。
【００２５】
Ｓ１において、送信データが存在しなければ（Ｓ１：ＮＯ）、送信データを処理する必要がないので、Ｓ４に進む。
【００２６】
かくして、パーソナルコンピュータ２のハードディスク装置２５には、通信プロトコルに関するコマンドと画像データとからなる送受信データ、ならびにそれらのコマンドやデータの送受信が通信開始からどれくらいの時間経過したときになされたかというデータが、１通信分を１ファイルとして格納される。また、通信エラーの発生しなかったファイルは、次のファイルが上書きされることにより消去され、通信エラーの発生したファイルだけがハードディスク装置２５に蓄積される。
【００２７】
そして、通信エラーが発生し、その原因を究明する場合、技術者がパーソナルコンピュータ２に所定の操作を施すと、パーソナルコンピュータ２のＣＰＵ２１が、ハードディスク装置２５から通信エラーの発生したファイルを読み出し、所定のプログラムに基づいて、ファイルを所定の様式のデータに変換して、図４〜図６に示すような形式でビデオモニタ２８のモニタ画面上に順次表示する。
【００２８】
すなわち、ファクシミリ装置１がパーソナルコンピュータ２に送受信データを出力するときには、通信開始からどのくらいの時間が経過したかというデータとともに通信開始時間も出力し、これらの情報が図３の（ａ）に示すようにファイル毎（各通信毎）に通信エラーの存否とともにハードディスク装置２５に記憶される。そして、それが図３の（ａ）に示すようにビデオモニタ２８のモニタ画面上に表示される。なお、図３におけるＴＩＭＥの欄には通信開始時刻を表示しているが、これの代わりに通信時間を表示してもよい。使用者が、キーボード３１の操作などによりたとえば図３の（ａ）に網掛表示したように上から２番目のファイルにカーソルを合わせ、選択確定すると、パーソナルコンピュータ２のＣＰＵ２１が、所定のプログラムに基づいてファイルを所定の様式のデータに変換して図４〜図６に示すようにビデオモニタ２８のモニタ画面上に表示させる。このとき、全てのデータをビデオモニタ２８のモニタ画面上に一度に表示させると見にくいので、適当な大きさで表示し、使用者が画面をスクロールさせるようにすればよい。
【００２９】
技術者は、ビデオモニタ２８のモニタ画面を見ながら通信エラーの原因を探り、必要に応じて、モニタ画面上に表示されたデータの一部または全部を記録するようにパーソナルコンピュータ２を操作する。これによりパーソナルコンピュータ２のＣＰＵ２１が、プリンタ２９を制御して、技術者により要求されたデータを記録用紙上に記録させる。
【００３０】
なお、通信エラーの発生しなかったファイルは、図３の（ｂ）に示すように、順次上書されることにより消去される。通信エラーの発生したファイルについては、通信エラーの原因が判明すれば、使用者が強制的に消去するか、あるいは上書可能なようにファイルの属性を変更するなどの処理を行えばよい。
【００３１】
このように、モデム７を介して送受信する送信データおよび受信データを、パーソナルコンピュータ２に出力し、ハードディスク装置２５に記憶させるので、送信データおよび受信データを詳細に記憶させることができ、十分な情報量を得られることから、通信エラーの原因を確実に究明できる。しかも、テスト用の特別なコンピュータをファクシミリ装置１と電話回線１８との間に接続した状態で通信を行う必要がなく、通信エラーの原因を容易に究明できる。
【００３２】
なお、上記実施形態では、データをパーソナルコンピュータ２に内蔵されたハードディスク装置２５に格納したが、外付けのハードディスク装置、リムーバブルハードディスク、ＰＤ、ＭＯ、あるいは大容量のフレキシブルディスクなどの外部記憶装置に格納してもよい。
【００３３】
また、上記実施形態では、パーソナルコンピュータ２に解析用のプログラムを格納したが、ファクシミリ装置１からのデータを持ち運び可能な外部記憶装置に直接格納するか、あるいは、内蔵のハードディスク装置２５に格納したデータを持ち運び可能な外部記憶装置に複写して、技術者が自社に持ち帰り、自社のコンピュータにより解析してもよい。この場合、自社のコンピュータに解析用のプログラムをインストールしておくことはもちろんである。
【００３４】
更に、上記実施形態では、通信エラーの発生しなかったファイルは次のファイルを上書きなどすることによりハードディスク装置２５から消去したが、通信エラーの発生しなかったファイルもハードディスク装置２５に蓄積してもよい。
【００３５】
また、上記実施形態では、リアルタイムでファクシミリ装置１からパーソナルコンピュータ２に送受信のデータを出力したが、たとえば１通信分はファクシミリ装置１のＲＡＭ６に送受信のデータを蓄積しておき、１通信の終了後にパーソナルコンピュータ２に出力するようにしてもよい。
【００３６】
更に、上記実施形態では、送受信データの全てをファクシミリ装置１からパーソナルコンピュータ２に出力したが、一定の送受信データについてパーソナルコンピュータ２に出力しないようにしてもよい。
【００３７】
【００３８】
更に、上記実施形態では、パーソナルコンピュータ２のプリンタ２９により解析結果の一部または全部を記録したが、これらはファクシミリ装置１の記録部１５に記録させてもよい。
【００３９】
【発明の効果】
以上説明したように請求項１に記載した発明の通信システムによれば、送信データを変調し、かつ受信データを復調する変復調手段と、変復調手段を介して送受信する送信データ、受信データおよび通信開始からの経過時間のデータを、コンピュータに出力する出力手段と、出力手段によりコンピュータに出力される送信データ、受信データおよび通信開始からの経過時間のデータを通信エラーの存否とともに格納するコンピュータの記憶手段とを備えたので、従来のように、メーカの技術者が、通信エラーを起こしたファクシミリ装置の設置場所まで解析用のコンピュータを持参して行き、解析用のコンピュータをファクシミリ装置と電話回線との間に接続する作業を行った後、解析用のコンピュータのモニタ画面を見ながら、通信エラーの原因を探るという作業が不要であり、記憶手段に記憶されたデータを用いることにより、通信エラーの原因を容易にかつ任意の時期に任意の場所で究明可能である。しかも、通信装置から常時コンピュータに送信データ、受信データおよび通信開始からの経過時間のデータを出力できるので、通信エラーの原因を確実に究明可能である。
【００４０】
また、請求項２に記載した発明の通信システムによれば、送信データを変調し、かつ受信データを復調する変復調手段と、変復調手段を介して送受信する送信データ、受信データおよび通信開始からの経過時間のデータを、コンピュータに出力する出力手段と、出力手段によりコンピュータに出力される送信データ、受信データおよび通信開始からの経過時間のデータを通信エラーの存否とともに格納するコンピュータの記憶手段と、記憶手段に格納された送信データおよび受信データのうち通信エラーの発生したデータを選択可能な選択手段と、選択手段により選択されたデータを所定の様式のデータに変換する変換手段と、変換手段により変換された所定の様式のデータの少なくとも一部を表示可能な表示手段とを備えたので、従来のように、メーカの技術者が、通信エラーを起こしたファクシミリ装置の設置場所まで解析用のコンピュータを持参して行き、解析用のコンピュータをファクシミリ装置と電話回線との間に接続する作業を行った後、解析用のコンピュータのモニタ画面を見ながら、通信エラーの原因を探るという作業が不要であり、送受信データを他のコンピュータに移し変えることなく、通信装置に接続されたコンピュータ自体により通信エラーの原因を容易にかつ任意の時期に究明できる。しかも、通信装置から常時コンピュータに送信データ、受信データおよび通信開始からの経過時間のデータを出力できるので、通信エラーの原因を確実に究明できる。
【００４１】
更に、請求項３に記載した発明の通信システムによれば、送信データおよび受信データを詳細に記憶させることができ、十分な情報量を得られることから、より通信エラーの原因を確実に究明できる。また、請求項４に記載した発明の通信システムによれば、記憶手段は、内蔵のハードディスク装置であるので、請求項１または請求項２記載の通信システムによる効果に加えて、外部記憶装置がコンピュータに接続されていない場合であっても、通信装置の送受信データを記憶できる。
【００４２】
また、請求項５に記載した発明の通信システムによれば、記憶手段は、外部記憶装置であるので、請求項１乃至請求項３のいずれかに記載の通信システムによる効果に加えて、外部記憶装置のみを運搬することにより、通信装置の接続されたコンピュータ以外の任意のコンピュータにより任意の場所でデータの解析を行える。
【００４３】
更に、請求項６に記載した発明の通信システムによれば、表示手段は、モニタ画面上に所定の様式のデータのうち少なくとも使用者により指示された部分を表示する表示部であるので、請求項２記載の通信システムによる効果に加えて、大量のデータを全て記録用紙上に記録することなく通信エラーの原因究明を行える。
【００４４】
また、請求項７に記載した発明の通信システムによれば、表示手段は、記録用紙上に所定の様式のデータのうち少なくとも使用者により指示された部分を記録する記録部であるので、請求項２記載の通信システムによる効果に加えて、時間をかけて詳細に検討すべきデータを記録用紙上に記録させることができ、通信エラーの原因究明を緻密に行える。
【００４５】
更に、請求項８に記載した発明の通信システムによれば、記憶手段に格納された送信データおよび受信データのうち、通信エラーの発生しなかった通信分を、所定の時期に記憶手段から削除する削除手段を備えたので、請求項１乃至請求項３のいずれかに記載の通信システムによる効果に加えて、有用性の低いデータにより記憶装置が占領されてしまう事態を回避でき、記憶装置を有効に利用できる。
【図面の簡単な説明】
【図１】本発明に係る通信システムの一例としての、パーソナルコンピュータに接続されたファクシミリ装置の回路ブロック図である。
【図２】図１に示す通信システムの通信処理手順を説明するフローチャートである。
【図３】通信結果のファイル選択を行うための表示画面の説明図である。
【図４】解析結果の一部を表す表示画面の説明図である。
【図５】解析結果の一部を表す表示画面の説明図である。
【図６】解析結果の一部を表す表示画面の説明図である。
【図７】従来の通信装置による通信リストの説明図である。
【符号の説明】
１  ファクシミリ装置
２  パーソナルコンピュータ
４  ＣＰＵ
５  ＮＣＵ
６  ＲＡＭ
７  モデム
８  ＲＯＭ
９  コーデック
１０  ＥＥＰＲＯＭ
１１  ＤＭＡＣ
１２  ゲートアレイ
１３  ＰＣ用ＩＦ
１８  電話回線
２１  ＣＰＵ
２２  ＦＡＸ用ＩＦ
２３  ＲＡＭ
２４  ＲＯＭ
２５  ハードディスク装置
２６  ビデオ出力部
２７  プリンタ制御部
２８  ビデオモニタ
２９  プリンタ
３０  ケーブル
【図１】
0003629796.tif 000002
【図２】
0003629796.tif 000003
【図３】
0003629796.tif 000004
【図４】
0003629796.tif 000005
【図５】
0003629796.tif 000006
【図６】
0003629796.tif 000007
【図７】
0003629796.tif 000008